(57)【要約】  １種以上のフィラー粒子および１種以上の顔料を含む顔料組成物は、種子コーティングとして有用である。この顔料は、１種以上の金属酸化物被覆フィラー粒子を含む。 この組成物は、種子コーティングに適していない材料を含んでいない。コーティングされた種子は、顔料組成物でコーティングされる。【選択図】なし【特許請求の範囲】
【請求項１】
１種以上のフィラー粒子と１種以上の顔料を含む顔料組成物であって、前記顔料が１種以上の金属酸化物被覆フィラー粒子を含み、シードコーティングに適している顔料組成物。
【請求項２】
前記フィラー粒子および顔料が血小板形状である、請求項１記載の組成物。
【請求項３】
前記フィラー粒子が、天然マイカ、合成マイカ、ガラス、グラファイト、グラフェン、オキシ塩化ビスマス、六方晶窒化ホウ素、酸化アルミニウム、水酸化アルミニウム、ケイ酸アルミニウムカリウム、ケイ酸アルミニウムナトリウム、硫酸第二鉄、硫酸亜鉛、硫酸カリウム、硫酸マグネシウム、硫酸ナトリウム、カオリン、フィロシリケートクレー、石灰質頁岩、炭酸カルシウム、リン酸カルシウム、酸化カルシウム、ケイ酸カルシウム。石灰マグネシウム、モンモリロナイトクレー、アタパルジャイトクレー、ベントナイト、ヘクトライト、ウォラストナイト、微小酸化鉄、パイロフィライト、パーライト、カルサイト、珪藻土、バーミキュライト、ココナッツシェル、木粉、砂、ソープストーン、二酸化ケイ素、二酸化チタン、真珠光沢顔料、アルミニウム、亜鉛、銅、真鍮、タルク、ドロマイト、石膏、ゼオライト、およびこれらの混合物より選ばれる、請求項１記載の組成物。
【請求項４】
前記顔料が、金属酸化物で被覆されたフィラー粒子であり、前記金属酸化物が、二酸化ケイ素、二酸化チタン、酸化亜鉛、二酸化ジルコニウム、酸化スズ、二酸化セリウム、酸化バナジウム（IV）、酸化マンガン、酸化鉛、酸化クロム、酸化鉄、酸化アルミニウム、酸化タングステン、およびこれらの混合物および合金より選ばれる、請求項１記載の組成物。
【請求項５】
前記顔料が真珠光沢を有する、請求項１記載の組成物。
【請求項６】
１種以上の有機顔料をさらに含む、請求項１記載の組成物。
【請求項７】
顔料は、総フィラー粒子の約１重量％〜約３０重量％である、請求項１記載の組成物。
【請求項８】
顔料は、総フィラー粒子の約５重量％〜約２５重量％である、請求項１記載の組成物。
【請求項９】
顔料は、総フィラー粒子の約５重量％〜約１５重量％である、請求項１記載の組成物。
【請求項１０】
着色剤、殺菌剤、殺虫剤、抗生物質、動物用殺虫剤、ワクチン、流動化剤、微量栄養素、防除剤、キレート剤、結合剤、分散剤、凍結防止剤、サイズ剤、およびこれらの組み合わせより選ばれる添加剤をさらに含む、請求項１記載の組成物。
【請求項１１】
水と、セルロース、メチルセルロース、エチルセルロース、アルギン酸、アルギン酸ナトリウム、キトサン、マルトデキストリン、キサンタンガム、ポリ（アクリル酸）、デンプン、ポリ（乳酸）、およびこれらの組み合わせから選択されるポリマーまたは界面活性剤とをさらに含む、請求項１記載の組成物。
【請求項１２】
多角度測色（Ｓｉ（１５））が約１０以上である、請求項１１記載の組成物。
【請求項１３】
種子の流速が約５．２ｋｇ／分以上である、請求項１２記載の組成物。
【請求項１４】
１種以上の有機顔料をさらに含む、請求項１３記載の組成物。
【請求項１５】
フィラー粒子がマイカを含む、請求項１４記載の組成物。
【請求項１６】
前記フィラー粒子および顔料が、組成物の約０．１重量％〜約２５重量％である、請求項１５記載の組成物。
【請求項１７】
前記フィラー粒子および顔料が、組成物の約３重量％〜約２０重量％である、請求項１５記載の組成物。
【請求項１８】
前記フィラー粒子および顔料が、組成物の約５重量％〜約１５重量％である、請求項１５記載の組成物。
【請求項１９】
種子を含むコーティングされた種子であり、前記種子が請求項１記載の組成物によりコーティングされている、コーティングされた種子。
【請求項２０】
前記組成物が１種以上の有機顔料をさらに含む、請求項１９記載のコーティングされた種子。
【発明の詳細な説明】
【技術分野】
【０００１】
本出願は、2018年9月10日に出願された同名の仮特許出願（番号62/728,923）の利益をここに主張するものであり、その開示内容は参照によりその全体が本明細書に組み込まれる。
【背景技術】
【０００２】
種子は、農家や種子販売業者が異なる系統や処理方法の種子をすぐに見分けられるように、着色されたコーティングが施されている。このような理由から、迅速な識別を容易にするために、明るい色に着色された種子が望まれる。種子コーティングは、多くの場合、水性混合物として塗布され、塗布後に室温で乾燥される。コーティングが効率よく乾燥しないと、種子同士がくっついて流動性が低下したり、農業用の種子投入装置の目詰まりの原因になったりする。
【発明の概要】
【発明が解決しようとする課題】
【０００３】
１種以上のフィラー粒子と１種以上の顔料を含む顔料組成物は、種子コーティングとして有用である。 顔料は、１種以上の金属酸化物被覆フィラー粒子を含む。この組成物は、種子コーティングに適していない材料を含んでいない。コーティングされた種子は、顔料組成物でコーティングされる。
【０００４】
これらおよびその他の目的と利点は、詳細な説明から明らかになるであろう。
【０００５】
種子は、視覚的な識別子として機能し、１種類の種子または１種類の種子処理を別のものと区別するために、しばしば色素を含むコーティングで処理される。例えば、種子は、農薬処理された種子が容易に識別でき、食物の流れに入らないようにコーティングされることが多い。顔料組成物は、滑らかで均一な表面から光沢のあるきらめきまでの効果を提供することにより、種子コーティングの美観を助け、幅広い色の範囲に及ぶ。種子をコーティングする際には、太陽光の下で目を引くような効果を付加することが望まれる。顔料組成物を種子コーティングとして有機顔料と組み合わせて使用することで、有機顔料の彩度の低下を最小限に抑えることができる。真珠光沢顔料のみを有機顔料と混合した場合、有機顔料の彩度が低下する。板状フィラーを有機系着色剤に混合した場合、光沢感のあるシマー効果が得られない。また、顔料組成物を種子コーティングとして使用することで、種子のコーティングの均一性が向上する。
【０００６】
顔料組成物は、顔料種子コーティングシステムに分散された後、あるいは顔料種子コーティングとして、種子の乾燥を助け、流動性を改善することができる。乾燥性と流動性に加えて、この組成物は、有機着色料によって生成される漂白または洗い流された色の減少を示し、同時に独特の光沢と均一に着色された種子を提供する。種子コーティングとして使用する場合、顔料組成物は種子上でよく乾燥し、高彩度と良好な玉虫色効果を維持しながら、良好な流動性を提供する。 種子コーティングの乾燥性や流動性が悪いと、種子同士が結合したり、種子を投入する農機具の目詰まりが発生する。これらはいずれも、農家が種を植える速度を低下させる。
【課題を解決するための手段】
【０００７】
例えば、真珠光沢顔料と有機発色団を併用すると、種子は玉虫色の効果を示し、良好な流動性や乾燥性を示すが、色が白っぽくなり、パステル調の色しか得られない。また、有機顔料を単独で使用した場合、色は強く出るものの、乾燥性に劣り、玉虫色の効果は得られず、不均一なコーティングとなることが多い。本発明の顔料組成物を用いることで、良好な流動性と乾燥性を併せ持つ、強い玉虫色を有するコーティング種子を製造することができる。
【発明を実施するための形態】
【０００８】
顔料組成物は、１種以上のフィラー粒子と１種以上の顔料を含む。この顔料は、１種以上の金属酸化物被覆フィラー粒子を含む。この組成物は、種子コーティングに適している。種子コーティングに適した組成物は、少なくとも、ＦＤＡ承認の化合物を使用し、種子を発芽させることができ、種子に毒性がなく、コーティングが少なくとも部分的に水溶性であるものでなければならない。組成物が種子コーティングに適しているための追加の要件があるかもしれない。
【０００９】
フィラー粒子は、種子コーティングに質感と均一性を加える。いくつかの実施形態では、フィラー粒子は血小板形状である。フィラー粒子は、透明であってもよく、または不透明であってもよい。いくつかの実施形態では、フィラー粒子は均質であり、これはフィラー粒子のすべてが同じ材料でできていることを意味する。いくつかの実施形態では、フィラー粒子は異質であり、これはフィラー粒子が２種以上の材料で構成されていることを意味する。いくつかの実施形態では、フィラー粒子は、組成、粒子径、結晶構造、およびそれらの組み合わせが異なっていてもよい。
【００１０】
フィラー粒子の例としては、限定されるものではないが、天然マイカ、合成マイカ、ガラス、グラファイト、グラフェン、オキシ塩化ビスマス、六方晶窒化ホウ素、酸化アルミニウム、水酸化アルミニウム、ケイ酸アルミニウムカリウム、ケイ酸アルミニウムナトリウム、硫酸第二鉄、硫酸亜鉛、硫酸カリウム、硫酸マグネシウム、硫酸ナトリウム、カオリン、フィロシリケートクレー、石灰質頁岩、炭酸カルシウム、リン酸カルシウム、酸化カルシウム、ケイ酸カルシウム。石灰マグネシウム、モンモリロナイトクレー、アタパルジャイトクレー、ベントナイト、ヘクトライト、ウォラストナイト、微小酸化鉄、パイロフィライト、パーライト、カルサイト、珪藻土、バーミキュライト、ココナッツシェル、木粉、砂、ソープストーン、二酸化ケイ素、二酸化チタン、真珠光沢顔料、アルミニウム、亜鉛、銅、真鍮、タルク、ドロマイト、石膏、ゼオライト、およびこれらの混合物を含む。いくつかの実施形態では、フィラー粒子は、天然マイカ、合成マイカ、酸化アルミニウム、ケイ酸アルミニウムカリウム、ケイ酸アルミニウムナトリウム、カオリン、リン酸カルシウム、パーライト、珪藻土、アルミニウム、タルク、石膏、クレー、およびそれらの混合物から選ばれる。いくつかの実施形態では、フィラー粒子は、天然マイカ、タルク石膏、アルミニウム、リン酸カルシウム、およびそれらの混合物から選ばれる。
【００１１】
いくつかの実施形態では、フィラーは血小板形状を有する。血小板形状とは、フィラー粒子の１つの寸法が他の２つの寸法よりも劇的に小さいことを意味する。小さい方の寸法は典型的には血小板の高さと呼ばれ、大きい方の寸法は血小板の直径と呼ばれる。直径を高さで割った比をアスペクト比と呼ぶ。いくつかの実施形態では、フィラー粒子は、単分散のサイズを有している。いくつかの実施形態では、フィラー粒子は、粒径の分布を有する。いくつかの実施形態では、血小板形状のフィラー粒子は、いくつかの異なる形状を有してもよく、真のシリンダーである必要はない。例えば、血小板は、上から見たときに２つ以上の辺を有する多角形であってもよい。いくつかの実施形態では、フィラーは、約１〜約１５０μｍのメディアン粒径（ｄ50）を有する。いくつかの実施形態では、ｄ10は、３．０μｍより大きく、例えば、３．０μｍ〜５．０μｍより大きく、３．０μｍ〜１０μｍより大きく、３．０μｍ〜約２０μｍより大きい。いくつかの実施形態では、血小板形状のフィラー粒子は、高さの分布を有し、フィラー高さの中央値（ｈ50）は、約５０ｎｍ〜約１０００ｎｍである。いくつかの実施形態では、フィラー粒子は約１０〜約１０００の範囲にある平均アスペクト比を有する。
【００１２】
顔料組成物は、１種以上の顔料を含む。この顔料は、１種以上の金属酸化物で被覆されたフィラー粒子である。顔料に用いられるフィラー粒子は、組成物に用いられる粒子と同じであってもよいし、異なっていてもよい。金属酸化物コーティングの例には、二酸化ケイ素、二酸化チタン、酸化亜鉛、二酸化ジルコニウム、酸化スズ、二酸化セリウム、酸化バナジウム（IV）、酸化マンガン、酸化鉛、酸化クロム、酸化鉄、酸化アルミニウム、酸化タングステン、およびこれらの混合物および合金が含まれるが、これらに限定されない。いくつかの実施形態では、金属酸化物コーティングは、二酸化ケイ素、二酸化チタン、酸化スズ、酸化ジルコニウム、酸化鉄、酸化アルミニウム、酸化亜鉛、およびそれらの組み合わせから選択される。いくつかの実施形態では、金属酸化物コーティングは、二酸化チタン、酸化鉄、二酸化ケイ素、およびこれらの組み合わせから選択される。いくつかの実施形態では、金属酸化物コーティングは、前述の酸化物のいずれかの水和酸化物をさらに含む。いくつかの実施形態では、コーティングは、ドーパントをさらに含む。 ドーパントの例としては、Ｍｎ２＋、Ｍｎ３＋、Ｍｎ４＋、Ｃｒ３＋、Ｆｅ２＋、Ｆｅ３＋、Ａｌ３＋、Ｚｎ２＋、Ｔｉ４＋、Ｃｕ＋、Ｃｕ２＋、ＰＯ４２−、ＢＯ３３−、およびこれらの混合物を含む塩が挙げられるが、これらに限定されない。
【００１３】
いくつかの実施形態では、金属酸化物コーティングの厚さは、顔料組成物のコーティングの部分的な透明性を可能にするようなものである。いくつかの実施形態では、金属酸化物の厚さは、約４０ｎｍ〜約１０００ｎｍ、例えば約４５ｎｍ〜約５００ｎｍ、および約５０ｎｍ〜約３５０ｎｍである。
【００１４】
いくつかの実施形態では、顔料粒子は真珠光沢を有する。
【００１５】
いくつかの実施形態では、フィラー粒子は、フィラー粒子と顔料粒子の合計（総フィラー粒子）の約７０％〜約９９％、例えば、約７５％〜約９５％、約７５％〜約８５％である。いくつかの実施形態では、顔料組成物は、約５０重量％〜約９９重量％、例えば約８０重量％〜約９９重量％のフィラーを含む。いくつかの実施形態では、顔料組成物は、約１重量％〜約５０重量％、例えば約１重量％〜約２０重量％の顔料粒子を含む。いくつかの実施形態では、顔料組成物は、約５０重量％〜約９９重量％のフィラーおよび約１重量％〜約５０重量％の顔料粒子、例えば約８０重量％〜約９９重量％のフィラーおよび約１重量％〜約２０重量％の顔料粒子を含む。いくつかの実施形態では、顔料組成物は、総フィラー粒子の約１重量％〜約３０重量％、例えば約５重量％〜約２５重量％、および約５重量％〜約１５重量％、の顔料を含んでいる。
【００１６】
いくつかの実施形態では、顔料組成物は、さらに有機着色剤を含む。この有機着色剤は、金属酸化物とフィラーの組み合わせだけでは実現できない色調の美観を得るために使用されてもよい。有機着色剤の例としては、アゾ顔料、多環顔料、モノアゾ顔料を含むアントラキノン顔料、ジスアゾ顔料、ジスアゾ縮合顔料、ナフトール顔料、ベンズイミダゾロン顔料、イソインドリノン顔料、イソインドリン顔料、金属錯体顔料、キナクリドン顔料、ペリレン顔料、カーボンブラック顔料、フタロシアニン顔料、ペリノン顔料、ジケトピロロピロール顔料、チオインジゴ顔料、アントロピリミジン顔料、フラバンスロン顔料、アントアントロン顔料、ジオキサジン顔料、トリアリルカルボニウム顔料、キノフタロン顔料、およびこれらの組み合わせなどが挙げられるが、これらに限定されるものではない。顔料の例としては、ＦＤ＆Ｃレッド３、Ｄ＆Ｃレッド１７、Ｄ＆Ｃレッド３３、ＦＤ＆Ｃレッド４０、ＣＩピグメントレッド４８：２、ＣＩピグメントレッド１１２、ＦＤ＆Ｃブルー１、ＦＤ＆Ｃブルー２、ＣＩピグメントブルー１５：３、ＦＤ＆Ｃグリーン３、Ｄ＆Ｃグリーン５、Ｄ＆Ｃグリーン６、ＣＩピグメントグリーン７、Ｄ＆Ｃバイオレット２、ＣＩピグメントバイオレット２３、Ｄ＆Ｃイエロー１０、ＦＤ＆Ｃイエロー５、ＦＤ＆Ｃイエロー６、ＣＩピグメントイエロー１、イエロー２３、イエロー４２、ブルー１５：１、ブルー２９、ブラック１１、ブラック７、ホワイト６、レッド１０１、およびこれらの組み合わせが挙げられるが、これらに限定されるものではない。いくつかの実施形態では、この組成物は、約０．１重量％〜約５０重量％の有機着色剤を含有する。
【００１７】
いくつかの実施形態では、この組成物は水を含む。いくつかの実施形態では、この組成物は、水と、セルロース、メチルセルロース、エチルセルロース、アルギン酸、アルギン酸ナトリウム、キトサン、マルトデキストリン、キサンタンガム、ポリ（アクリル酸）、デンプン、ポリ（乳酸）、およびこれらの組み合わせから選択されるポリマーまたは界面活性剤とを含む。
【００１８】
本発明の顔料組成物は、種子コーティングに配合すると、種子の流動性と乾燥時間をさらに向上させる。血小板形状のフィラーは、金属酸化物でコーティングされていない単独で使用した場合、種子を過度に乾燥させ、乾燥を招き、その結果、発芽効率を低下させる。いくつかの実施形態では、フィラー粒子の３０％まで金属酸化物をコーティングすることで、乾燥を防止または最小化し、種子の生存率を向上させることができる。いくつかの実施形態では、流速は、約５．２ｋｇ／分以上、例えば、５．３ｋｇ／分以上、５．４ｋｇ／分以上、５．５ｋｇ／分以上、および５．６ｋｇ／分以上である。例えば、約５．２ｋｇ／分〜約５．９ｋｇ／分、約５．３ｋｇ／分〜約５．９ｋｇ／分、約５．４ｋｇ／分〜約５．９ｋｇ／分、約５．５ｋｇ／分〜約５．９ｋｇ／分が挙げられる。
【００１９】
顔料組成物は、機能および処方の範囲であり、広範囲のサイズおよび形状の種子をコーティングするために使用される種子コーティングに組み込むことができる。顔料組成物は、例えば、１種以上の追加の着色剤、殺菌剤、殺虫剤、抗生物質、動物用殺虫剤、ワクチン、流動化剤、微量栄養素、防除剤、キレート剤、結合剤、分散剤、凍結防止剤、サイズ剤などの他の活性物質も含む種子コーティングに使用することができ、それによって、生育期間を延長し、種子のサイズを変え、均一な種子の形状およびサイズを作成するなどの効果が得られる。いくつかの実施形態では、顔料組成物は、顔料組成物の約０．１重量％〜約２５重量％の好ましい範囲で種子コーティングに組み込まれる。
【００２０】
いくつかの実施形態では、顔料組成物は、より良い乾燥および流動性を助けるために、種子コーティングプロセス中に後処理として適用される。この場合、種子は顔料組成物を含まない種子コーティングでコーティングされる。種子を乾燥させる前に、ＷＯ２０１７／０５９１９７に記載されているように、顔料組成物を種子に添加して種子の外層をコーティングする。
【００２１】
いくつかの実施形態では、顔料組成物は、多くの種類の種子をコーティングするために使用される種子コーティング剤に使用される。この種子には、例えば、テパリー豆、ランナー豆、リマ豆、ピント豆、キドニー豆、黒豆、アパローザ豆、インゲン豆、モス豆、小豆、緑豆、いんげん豆、米豆、ササゲ、ヒヨコ豆、エンドウ豆、レンズ豆、ヒヤシンス豆、大豆、翼豆、キジマメ、ベルベット豆、グアー、ジャックビーンズ、剣豆、コーヒー豆、ホースグラム、ブラックグラム、グリーングラム、ルパン、ピーナッツ、ソルガム、トウモロコシ、オートミール、米、大麦、ライ麦、小麦、デュラム、スペルト、カムート、アマランス、マムシ、ガチョウの足、カニワ、キノア、ハンザ、チア、亜麻、パンの実、ゴマ、ソバ、ブナの実、ソラマメ、バンバラ落花生、ドングリ、アーモンド、ブラジルナッツ、キャンドルナッツ、カシューナッツ、栗、チリハシバミ。メロン種、ヘーゼルナッツ、ヒッコリーナッツ、コーラナッツ、マカデミアナッツ、マラバルアーモンド、マラバルクリ、マモンシージョ、モンゴンゴ、オグボノ、パラダイスナッツ、ピリ、ピスタチオ、クルミ、松の実、野菜の種、木の種、果物の種、低木の種、草の種などが挙げらる。また、本発明の顔料組成物は、上記リストの品種、交配種、遺伝的変種、およびリストにないその他のものをコーティングするために使用される種子コーティングに使用することができる。
【００２２】
本開示では、いくつかの実施形態を説明によって示し、例示的な実施形態をかなり詳細に説明したが、添付の請求項の範囲をそのような詳細に限定したり、いかなる方法でも制限したりすることは、本出願人の意図するところではない。追加の利点や変更点は、当業者に容易に現れる可能性がある。さらに、別々のリストからの特徴を組み合わせることができ、また、実施例からの特徴を開示全体に一般化することができる。
【実施例】
【００２３】
例１
ｄ50〜１５μｍの天然マイカフィラー（９０ｇ、サンケミカル、米国）と、ｄ50〜３０μｍの銀色真珠光沢顔料（１０ｇ、サンケミカル、米国）を合わせて白色粉末とした。
【００２４】
比較例２
ｄ50〜１５μｍの天然マイカフィラー（サンケミカル、米国）。
【００２５】
比較例３
二酸化チタン顔料（ＴｉＯ２）（サンケミカル、米国）
【００２６】
比較例４
ｄ50〜３０μｍの銀色真珠光沢顔料（１０ｇ、サンケミカル、米国）。
【００２７】
比較例５
比較例２の顔料（９７．２ｇ、天然マイカフィラー）と比較例３の顔料（ＴｉＯ２顔料）２．８ｇを合わせて白色顔料を得た。
【００２８】
比較例６
レッド４８：２有機顔料（３０．４ｇ）を６９．６ｇの水に溶解した。
【００２９】
例７：種子コーティング
表１および表２に示す量で、例１〜６を種子コーティングに配合した。
【００３０】
【表１】
2022500027.tif 000002
【００３１】
種子に付加的な利益を与えるために、活性物質を種子コーティングのフェーズIIIに組み込んでもよい。そのような成分としては、殺菌剤、殺虫剤、抗生物質、動物用殺虫剤、ワクチン、流動化剤、微量栄養素、抗発塵剤、キレート剤、結合剤、分散剤、凍結防止剤、サイズ剤、生育期間を延長する剤、種子の大きさを変える剤、均一な種子の形状と大きさを作る剤などが挙げられるが、これらに限定されるものではない。活性物質は、種子コーティング剤の処方者の裁量に委ねられる。 試験では、有効成分の代わりに水を使用した。
【００３２】
【表２】
2022500027.tif 000003
【００３３】
表１は、フェーズIIIが可変である場合に使用される一般的な種子コーティング製剤の概要を示す。表２は、各例のフェーズIII成分を表示する。種子コーティング製剤を作るために、フェーズIの成分を組み合わせて混合した。別個に、フェーズIIの成分を完全に混合するまで組み合わせた。次に、フェーズIIをフェーズIに加え、15分間ホモジナイズしてベース混合物を作った。次いで、フェーズIIIをベース混合物に加えて、最終的な種子コーティング製剤を作製した。異なる実施例のためのフェーズIIIの個々の処方は、表２に示されている。
【００３４】
例８：色の測定
例７−６〜７−１１の種子コーティング製剤を、１．５ミルのバードアプリケーターを用いて、コーティングされていない白黒の紙に描き下ろし、その後３０分間自然乾燥させ、次いで６０℃で３０分間オーブン乾燥させた。なお、例７−１〜７−５は、有機赤色顔料を含有していないため、測色試験には含めなかった。しかし、エンドユーザーがシーコートに着色剤を使用したくない用途もあるため、例７−１〜７−５は依然として関連性がある。Datacolor SF600 plusおよびBYK-mac i-23mm多角度分光光度計を使用して、拡散色測定および多角度色測定をそれぞれ行った。表３は、拡散球面構成で測定した白地のＬ*Ｃ*ｈ*色データと計算された強度、および黒地の上で測定した15o入射光角でのスパークル強度（Ｓｉ）を示している。値Ｌ*は明るさや白さを、値Ｃ*は色の彩度や強度を、値ｈ*は色相を表す。ｈ*はCIELAB色空間内の色ベクトルＣ*の方向を表すための角度量である。
【００３５】
表３の拡散色測定結果から、例７−７〜例７−１１は、例７−６の無着色の顔料よりも彩度が低く、青みがかっていることがわかる。これらの例のうち、例７−１０は、最も彩度を失い、色のシフトが最も大きい。色のシフトに加えて、例７−１０は、例４の真珠光沢顔料で着色したときに、色の強さの最大の減少を示している。これに対し、例７−７（例１）の本発明製剤は、例７−１０と比較して、色のシフト（ｈ＊）および彩度の低下が少ない。無機顔料製剤として例３を用いた例７−９は、例７−７に比べて強度が低く、青みがかっている。色空間的には、例７−７は、拡散測定すると例７−８および７−１１と同様である。しかし、表３に見られるように、多角度測定を使用すると別の結果になる。
【００３６】
スパークル強度またはＳｉは、特定の視野角で観察される光の点滅（すなわちスパークル）の強度の測定値であり、Ｓｉ（15）は視野角15でのスパークル強度である。これは、BYK-macマルチアングル分光光度計を用いて測定される。例７−７を例７−８および７−１１と比較すると、スパークルの明確な違いが観察され、例１を種子コーティングに使用したときに見られるユニークで驚くべきスパークル効果を示している。表３を参照。
【００３７】
【表３】
2022500027.tif 000004
【００３８】
例９：種子処理
例７の種子コーティング製剤を大豆の処理に使用した。大豆は、２５０ｇの豆を１．７５ｇの例７の種子コーティング製剤と一緒にクォートペイント缶に加えることによって処理した。この缶をローラーテーブル上で２分間混合した。この容器を６個作り、同時に混合して、合計１５００ｇの処理済み大豆をコーティングした。缶の転がしが終わったら、各缶の蓋を外し、缶の上にゆるくセットして、豆を一晩乾燥させた。例９−１は、例７−１のフェーズIIIを有する種子コーティングで処理された大豆であった。例９−２は、例７−２のフェーズIIIを有する種子コーティングで処理された大豆であり、以下同様である。
【００３９】
例１０：種子の流れ
例９のコーティング種子が完全に乾燥した後、１０００ｇのコーティング種子を、直径２．５ｃｍの開口部からどれだけ速く流れることができるか、時間を計った。このような実験に使用した装置は、底部に制御された放出開口部を有する漏斗を備えていた。種子は放出口が閉じた状態で漏斗に入れ、放出口が開いたら、漏斗から種子が流れ出るまでストップウォッチで時間を計った。その結果を、１分間に流れる種子の重量に換算した。値が大きいほど流量が多いことを示す。これを５回繰り返して平均値を求めた。結果を表４に示す。種子が一般的にトンオーダーの工業規模で荷降ろしされている場合，わずか０．１ｋｇ／分の流量の違いが重要であることに留意されたい。
【００４０】
【表４】
2022500027.tif 000005
【００４１】
その結果、有機顔料を含むコーティング剤で処理された種子の流量（例９−６〜９−１１）は、有機顔料を含まないもの（例９−１〜９−５）よりも低いことがわかった。さらに、例１の顔料で処理された種子は、そのクラスの中で最も速い流速を示している。また、例１と例６を組み合わせて処理した場合（例９−７）は、有機顔料を改質したサンプルの中で最も流動性の高い種子となっていることがわかる。
【００４２】
このデータと表３示したカラーデータを組み合わせることで、無機顔料製剤のユニークな光学的・機能的特性を示すことができる。
【００４３】
本明細書に記載された本発明の教示の恩恵を受けた当業者は、それに対して多くの変更を加えることができる。これらの変更は、添付の特許請求の範囲に記載された本発明の範囲内に包含されるものと解釈される。
【国際調査報告】
2022500027.tif 000006
2022500027.tif 000007